(57)【要約】【課題】エラー解消に費やされる労力に係る情報をユーザに的確に提供することによって、ユーザの利便性向上に資する電子機器を得る。【解決手段】進捗状況取得部７１は、エラーが生じているとき復帰操作記憶部７３の記憶内容から読み出した当該エラーに対応する復帰操作の進捗状況を取得する。そして、表示制御部７７は、進捗状況取得部７１で取得した復帰操作の進捗状況をタッチパネルユニット５３に表示させる。従って、時々刻々と変化する復帰操作の進捗状況をユーザに的確に提供可能となる結果として、ユーザの利便性向上に資する電子機器を得ることができる。【選択図】  図２
2011033725.tif 000002
【特許請求の範囲】
【請求項１】
各種情報を表示するための表示装置と、
エラーを解消するための復帰操作手順を記憶する記憶装置と、
前記エラーが生じているとき、前記エラーに対してなされた復帰操作を、前記記憶装置に記憶されている前記エラーに対応する復帰操作手順と比較して、前記復帰操作の進捗状況を取得する進捗状況取得部と、
前記進捗状況取得部が取得した前記復帰操作の進捗状況を、この進捗状況に応じて予め定められた表示領域サイズで前記表示装置に表示させる表示制御部と、
を備えたことを特徴とする電子機器。
【請求項２】
請求項１記載の電子機器であって、
前記表示制御部は、前記復帰操作の進捗に伴い、前記進捗状況の表示領域サイズを狭小化して表示させる、
ことを特徴とする電子機器。
【請求項３】
請求項１又は２に記載の電子機器であって、
前記表示制御部は、前記復帰操作の進捗状況の全容を前記表示装置に一覧表示させる、
ことを特徴とする電子機器。
【請求項４】
請求項１〜３のいずれかに記載の電子機器であって、
複数のエラーが同時期に生じているとき、
前記進捗状況取得部は、前記複数の各エラーにそれぞれ対応する復帰操作の進捗状況を取得し、
前記表示制御部は、前記複数のエラー毎の復帰操作の進捗状況の総和を表示装置に表示させる、
ことを特徴とする電子機器。
【請求項５】
請求項１〜４のいずれか一項に記載の電子機器であって、
前記復帰操作手順は、前記エラーを解消するための複数の工程からなり、
前記進捗状況取得部は、前記復帰操作が前記復帰操作手順のいずれの工程まで完了しているかを、記憶装置に記憶されている前記復帰操作手順に照らし合わせて判断することにより、前記復帰操作の進捗状況を取得する、
ことを特徴とする電子機器。
【発明の詳細な説明】
【技術分野】
【０００１】
本発明は、各種情報を表示するための表示装置を備えた電子機器に係り、特に、エラー復帰操作の進捗状況をユーザに的確に提供することによってユーザの利便性向上に資する電子機器に関する。
【背景技術】
【０００２】
従来、コピー、スキャナ、ファクシミリ通信、又はデータ通信等の機能を複合的に有する、ＭＦＰ（Multi Function Peripheral）とも呼ばれる画像形成装置が提供されている。
【０００３】
かかるＭＦＰにおいて、装置本体に配設されたエラー検出手段からのエラー検出情報に基づいて表示装置にエラー表示を行う際、複数のエラーが同時期に発生している場合には、そのエラー件数をエラー発生件数表示部に表示する共に、予め優先順序立てされた順位でエラー情報表示部にエラー情報を表示する構成の画像形成装置が提案されている（例えば特許文献１参照）。
【０００４】
この種の画像形成装置のように、複数のユーザに共有利用され、各種情報を表示するための表示装置を備えた電子機器に対し、特許文献１に係るエラー表示技術が採られると、同時期に複数のエラーが発生した場合であっても、その全容を即時に知ることができる。
【０００５】
ところで、エラーが発生した場合に、そのエラーを解消するための復帰操作の進捗状況をユーザに的確に提供することができれば、ユーザの利便性向上に資するであろうことは想像に難くない。
【０００６】
しかるに、復帰操作の進捗状況をユーザに的確に提供する試みは一切なされておらず、ユーザの利便性を向上する観点から改善の余地があった。
【先行技術文献】
【特許文献】
【０００７】
【特許文献１】特開２００９−９０５０８号公報
【発明の概要】
【発明が解決しようとする課題】
【０００８】
解決しようとする問題点は、エラー復帰操作の進捗状況をユーザに的確に提供する試みは一切なされておらず、ユーザの利便性を向上する観点から改善の余地があった点である。
【課題を解決するための手段】
【０００９】
本発明は、エラー復帰操作の進捗状況をユーザに的確に提供することによってユーザの利便性向上に資する電子機器を得ることを目的とする。
【００１０】
本発明に係る電子機器は、各種情報を表示するための表示装置と、エラーを解消するための復帰操作手順を記憶する記憶装置と、前記エラーが生じているとき、前記エラーに対してなされた復帰操作を、前記記憶装置に記憶されている当該エラーに対応する復帰操作手順と比較して、前記復帰操作の進捗状況を取得する進捗状況取得部と、前記進捗状況取得部で取得した前記復帰操作の進捗状況を、この進捗状況に応じて予め定められた表示領域サイズで前記表示装置に表示させる表示制御部と、を備えたことを特徴とする。
【発明の効果】
【００１１】
本発明は、上記の構成とすることにより、時々刻々と変化するエラー復帰操作の進捗状況をユーザに的確に提供可能となる結果として、ユーザの利便性向上に資する電子機器を得ることができる。
【図面の簡単な説明】
【００１２】
【図１】本発明の実施例に係る画像形成装置の外観を示す斜視図である。
【図２】本発明の実施例に係る画像形成装置の概略構成を示す機能ブロック図である。
【図３】本発明の実施例に係る画像形成装置における操作パネルの外観図である。
【図４】用紙トレイユニット３ａと排紙トレイ９の各ユニットで紙づまりの複合エラーが生じたときの、本発明の実施例に係る画像形成装置の動作フローチャート図である。
【図５】複合エラー発生直後のエラー表示画面と、復帰操作の進展後のエラー表示画面と、を対比して示す説明図であり、図５（１）は、複合エラー発生直後のエラー表示画面を示す説明図、図５（２）は、復帰操作の進展後のエラー表示画面を示す説明図である。
【発明を実施するための形態】
【００１３】
時々刻々と変化するエラー復帰操作の進捗状況をユーザに的確に提供することによってユーザの利便性向上に資する電子機器を得るといった目的を、エラーが生じているとき、前記エラーに対してなされた復帰操作を、前記記憶装置に記憶されている前記エラーに対応する復帰操作手順と比較して、前記復帰操作の進捗状況を取得する進捗状況取得部と、進捗状況取得部が取得した前記復帰操作の進捗状況を、この進捗状況に応じて予め定められた表示領域サイズでぜ表示装置に表示させる表示制御部と、の連係に係る構成によって実現した。
【実施例】
【００１４】
以下、本発明の実施例に係る電子機器について、電子機器の一例として画像形成装置を例示して、図面を参照して詳細に説明する。
［実施例に係る画像形成装置の概略構成］
図１は、本発明の実施例に係る画像形成装置の外観を示す斜視図、図２は、本発明の実施例に係る画像形成装置の概略構成を示す機能ブロック図、図３は、本発明の実施例に係る画像形成装置における操作パネルの外観図である。
【００１５】
本発明の実施例に係る画像形成装置１は、本体正面から引き出し及び収納可能な複数段の用紙トレイユニット３ａ，３ｂ、本体右側面から開閉可能な手差し用紙トレイ５とカセット右カバー７、印刷済みの用紙を受ける排紙トレイ９、各種機能等の設定・選択操作を行う際に用いられる後述の操作パネル５１及びトナー交換や搬送経路の一部に紙づまり等が発生した場合に開閉される本体前カバー１１などを備える。
【００１６】
用紙トレイユニット３ａ，３ｂ、手差し用紙トレイ５及び排紙トレイ９には、図２に示すように、これらトレイに収容された用紙の給紙時における紙づまりを検出するためのジャムセンサ１３が設けられている。
【００１７】
また、用紙トレイユニット３ａ，３ｂ又は手差し用紙トレイ５から排紙トレイ９に至る用紙搬送経路にも、図２に示すように、用紙の搬送時における紙づまりを検出するためのジャムセンサ１３が、要所毎に複数分散させて設けられている。
【００１８】
さらに、用紙トレイユニット３ａ，３ｂ、カセット右カバー７及び本体前カバー１１等の引き出し／収納或いは開閉可能な各部材には、図２に示すように、その引き出し或いは開閉状態を検出するための開閉状態センサ１５がそれぞれ設けられている。
【００１９】
そして、後述する印刷エンジン４１には、トナー切れを検出するトナーセンサ１７や、感光体ドラム（不図示）等の消耗品の補修（交換を含む）時期を検出する補修時期センサ１８などが設けられている。
【００２０】
上述した各種センサ群１３，１５，１７，１８は、図２に示すように、主制御部１９に接続され、各種センサ群１３，１５，１７，１８からの出力信号は主制御部１９に与えられる。
【００２１】
画像形成装置１は、コピー、印刷出力、ファクシミリ通信、データ送信（スキャナで読み取られた画像データを、メール等によりネットワーク経由で外部端末へ送信する機能）、又は文書ボックスを含む各種機能が利用可能であり、主制御部１９によって制御される。
【００２２】
主制御部１９は、情報処理機能を有するコンピュータであって、画像形成装置１全体の動作を統括制御する。
【００２３】
主制御部１９に接続され諸機能を担う入出力機器として、画像形成装置１は、図２に示すように、スキャナ２１、印刷エンジン４１、操作パネル５１、及び記憶装置６３を備える。
【００２４】
スキャナ２１は、原稿から画像を読み取り、読み取った画像に対応する画像データを印刷エンジン４１に出力する。
【００２５】
印刷エンジン４１は、スキャナ部２１で読み取られた画像データ等を用いて画像を用紙に印刷する。
【００２６】
操作パネル５１は、図３に示すように、タッチパネルユニット５３及び操作キーユニット５５を有する。操作パネル５１は、ユーザが画像形成装置１の各種機能を関する操作を行うために使用され、ユーザによる操作指令等を主制御部１９に与える。
【００２７】
本発明において表示装置として機能するタッチパネルユニット５３は、タッチパネルとカラーＬＣＤ（Liquid Crystal Display）等から構成される。タッチパネルユニット５３は、マシンエラーが発生したときエラー情報を表示する際、または同時期に複数のエラー（以下、「複合エラー」という場合がある）が発生したとき、その複合エラーに関する復帰操作の進捗状況を一覧表示する際などに用いられる。
【００２８】
操作キーユニット５５は、ユーザの操作入力を受付けるための複数の操作キーを備えている。
【００２９】
記憶装置６３は、ハードディスクドライブその他の書き換え可能な不揮発性メモリである。記憶装置６３は、スキャナ２１によって読み取られた画像データの他、エラーを解消するための復帰操作手順、及び操作パネル５１に表示する復帰操作の進捗状況の表示領域サイズを記憶する。
【００３０】
ここで、復帰操作手順は、工場出荷時等に予めエラー毎に記憶装置６３に記憶されている。また、操作パネル５１に表示する進捗状況の表示領域サイズについても、進捗状況に応じた表示領域サイズとして、工場出荷時等に予め記憶装置６３に記憶されている。
【００３１】
主制御部１９は、情報処理機能を有するコンピュータであって、ＣＰＵ（Central Processing Unit）、ＲＯＭ（Read Only Memory）及びＲＡＭ（Random Access Memory）を備える。
【００３２】
ＣＰＵは、プログラムの記述に従う処理を順次実行する演算処理装置である。ＲＯＭは、プログラム等を記憶する不揮発性のメモリである。ＲＡＭは、プログラムを実行する際にそのプログラムや各種データを一時的に記憶して、作業領域として用いるメモリである。
【００３３】
主制御部１９は、画像形成装置１の動作を制御するプログラムを実行することによって、進捗状況取得部７１、エラー管理部７５、及び表示制御部７７として機能する。
【００３４】
進捗状況取得部７１は、エラーが生じているとき、そのエラーに対応する復帰操作の進捗状況を取得する。詳細には、まず、進捗状況取得部７１は、ジャムセンサ１３又は開閉状態センサ１５等の本装置１の要所に設けられたエラーセンサ群１３，１５，１７，１８からの出力信号を監視する。例えば、紙づまりが発生した場合、用紙搬送経路に詰まった用紙の有無により、進捗状況取得部７１がジャムセンサ１３から受ける信号が変化する。
【００３５】
ここで、エラーに対応する復帰操作の手順は、そのエラーを解消するための複数の工程からなる。進捗状況取得部７１は、ジャムセンサ１３の出力信号の変化により復帰操作の完了した工程を認識する。進捗状況取得部７１は、発生中のエラーに対応する復帰操作手順を記憶装置６３から読み出して、復帰操作の完了した工程と照らし合わせ、復帰操作の進捗状況を取得する。進捗状況取得部７１は、取得した進捗状況をエラー管理部７５に通知する。復帰操作手順は、複数の各工程の内容に関する情報（文字、図形又はこれらの組み合わせからなる。）および復帰操作の総工程数を含んでおり、工場出荷時等に記憶装置６３に予め記憶されている。
【００３６】
エラー管理部７５は、本装置１が有する複数の機能のうちいずれかの機能にエラーが生じているか否かを監視する。この監視中に、エラーが生じていると判定されたとき、その旨を進捗状況取得部７１に通知する。この通知により、進捗状況取得部７１は、いずれのエラーが発生しているかを認識することができる。また、エラー管理部７５は、進捗状況取得部７１より受信した進捗状況が復帰操作完了を示すものであったとき、画像形性装置１のエラー状態を解除する。
【００３７】
表示制御部７７は、進捗状況取得部７１で取得した復帰操作の進捗状況をタッチパネルユニット５３に一覧表示させる。ここで、表示制御部７７は、記憶装置６３から進捗状況に応じた表示領域サイズを読み出す。表示制御部７７は、読み出した表示領域サイズで進捗状況をタッチパネルユニット５３に表示する。
【００３８】
［実施例に係る画像形成装置の動作］
次に、画像形成装置１の動作について、用紙トレイユニット３ａと排紙トレイ９の各ユニットで紙づまりの複合エラーが生じた例をあげて、図４〜図５を参照して説明する。
【００３９】
図４は、用紙トレイユニット３ａと排紙トレイ９の各ユニットで紙づまりの複合エラーが生じたときの、実施例に係る画像形成装置の動作フローチャート図、図５は、複合エラー発生直後のエラー表示画面と、復帰操作の進展後のエラー表示画面と、を対比して示す説明図であり、図５（１）は、複合エラー発生直後のエラー表示画面を示す説明図、図５（２）は、復帰操作の進展後のエラー表示画面を示す説明図である。
【００４０】
図４に示すように、あるユーザがコピー機能を利用している途中で、仮に、用紙トレイユニット３ａ（給紙ユニット）と排紙トレイ９（排紙ユニット）の各ユニットで紙づまりの複合エラーが同時期に発生したとする（ステップＳ１１，Ｓ１２）。
【００４１】
これを受けて、エラー管理部７５は、ジャムセンサ１３の出力信号に基づき、用紙トレイユニット３ａ及び排紙トレイ９で紙づまりエラーが発生したことを認識し、その旨を進捗状況取得部７１に通知する。進捗状況取得部７１は、用紙トレイユニット３ａ及び排紙トレイ９の各ユニットでの用紙ジャムの復帰操作手順を記憶装置６３から読み出す（ステップＳ１３）
進捗状況取得部７１は取得した進捗状況を表示制御部７７に渡す。これを受けて、表示制御部７７は、用紙トレイユニット３ａ及び排紙トレイ９の各ユニットで用紙ジャムが発生した旨、並びに各ユニットでの用紙ジャムに係る復帰操作手順の工程をタッチパネルユニット５３の全面にわたり表示（図５（１）参照）させる（ステップＳ１４）。
【００４２】
この表示を見たユーザは、いかなる複合エラーが生じているのか並びにこれら全エラーの解消に要する工程の全容を即時かつ簡易に認識することができる。
【００４３】
次いで、進捗状況取得部７１で取得される復帰操作の進捗状況を監視することを通じて、復帰操作の進捗状況（各工程の操作が完了しているか否かの状態）に変化があったか否かに係る判定を行う（ステップＳ１５）。
【００４４】
ステップＳ１５における判定の結果、復帰操作の進捗状況に変化がないと判定されたとき、エラー管理部７５は、処理の流れをステップＳ１４に戻し、以下の処理を繰り返す。
【００４５】
一方、ステップＳ１５における判定の結果、復帰操作の進捗状況に変化があったと判定されたとき、進捗状況取得部７１は、必要な復帰操作の全容と、進捗状況取得部７１で取得した複数の工程毎の操作が済んでいるか否か（復帰操作の進捗状況）と、に基づいて、現時点での復帰操作の進捗状況を取得する。詳細には、進捗状況取得部７１は、用紙トレイユニット３ａ及び排紙トレイ９の各ユニットでの用紙ジャムの復帰操作手順を記憶装置６３から読み出し、既に完了している復帰操作の工程と照らし合わせて、復帰操作の進捗状況を取得する。本実施例では、複合エラーであるので、進捗状況取得部７１は、全てのエラーが解消するまでの残工程の総和を求めて、全体の進捗状況を取得する（ステップＳ１３）（ステップＳ１６）。
【００４６】
次いで、エラー管理部７５は、ステップＳ１６で取得された進捗状況に基づいて、全てのエラーが解消したか否かに係る判定を行う（ステップＳ１７）。
【００４７】
ステップＳ１７における判定の結果、全てのエラーが解消していないと判定されたとき、エラー管理部７５はその旨を進捗状況取得部７１にその旨を通知する。この通知を受けた進捗状況取得部７１は、現時点での復帰操作の進捗状況を表示制御部７７に渡す。
【００４８】
これを受けて、表示制御部７７は、現時点での復帰操作の進捗状況（残工程の総和）８１をタッチパネルユニット５３に表示（図５（２）参照）させる（ステップＳ１４）。
【００４９】
仮に、用紙トレイユニット３ａでの紙づまりエラーに対して、用紙カセットの引き出し及びつまっていた用紙の取り除きに係る復帰操作が済んでいたとすると、図５（２）に示すように、既に操作済みの工程はグレイ表示される。
【００５０】
進捗状況取得部７１は、復帰操作において既に完了している工程数と、復帰操作手順に含まれる総工程数から、復帰操作完了までの残工程数を求める。図５（２）の場合、用紙トレイユニット３ａの復帰操作の総工程数は「３」で完了した工程数は「２」であるから、残工程数は「１」となる。
【００５１】
また、排紙トレイ９の復帰操作の総工程数は「３」で完了した工程数は「０」であるから、残工程数は「３」となる。従って、残工程数の総和は「４」となる。当初の復帰操作手順に含まれる工程数の総和は「６」であるから、前記ステップＳ１４の時点で約三分の一の復帰操作が済んでいることになる。
【００５２】
かかる復帰操作の進捗状況をユーザにわかりやすく伝えるために、本実施例では、復帰操作の進捗（残工程数の減少）に伴って復帰操作の進捗状況８１の表示領域サイズを徐々に狭小化する構成を採用することとした。具体的には、表示制御部７７は、進捗状況取得部に７１より取得された復帰操作の進捗情況に応じて、タッチパネルユニット５３に表示する進捗状況８１の表示領域サイズを徐々に狭小化して表示する。この際、表示制御部７７は、進捗状況に応じた表示領域サイズを記憶装置６３から読み出して取得する。
【００５３】
表示領域サイズは、例えば、残工程の総和のうち約三分の一の工程が操作済みの場合には、当初の復帰操作の進捗状況８１の表示領域サイズに比べて、約三分の一の大きさとすることができる。ただし、復帰操作の進捗情況（残工程数の減少）と、進捗状況８１の表示領域サイズを狭小化する割合との関係は、必ずしも線形である必要はない。すなわち、例えば、残工程の数（または総工程数に対する比率）が所定の閾値に到達するまでは当初の復帰操作の進捗状況８１の表示領域サイズを維持し、前記閾値に到達した後は所定の倍率に狭小化された復帰操作の進捗状況８１の表示領域サイズとする態様も、本発明の技術的範囲の射程に包含される。表示領域サイズを変化させる態様は、復帰操作の進捗状況に応じた表示領域サイズを適宜変更して、記憶装置６３に記憶させることで可能となる。
【００５４】
さて、上述のステップＳ１４〜Ｓ１７の処理を繰り返した結果、ステップＳ１７における判定の結果、エラー管理部７５が全てのエラーが解消したと判定されたとき、エラー管理部７５は、復帰操作の進捗状況８１に係るエラー情報表示をクリアして、全ての処理の流れを終了させる。
【００５５】
［実施例の効果］
本実施例に係る電子機器（画像形成装置１）では、進捗状況取得部７１は、エラーが生じているとき、そのエラーに対してなされた復帰操作を、前記記憶装置に記憶されている前記エラーに対応する復帰操作手順と比較して、前記復帰操作の進捗状況を、復帰操作記憶部７３の記憶内容から読み出して取得する。そして、表示制御部７７は、進捗状況取得部７１が取得した前記復帰操作の進捗状況を、この進捗状況に応じて予め定められた表示領域サイズでタッチパネルユニット５３に表示させる。
【００５６】
従って、時々刻々と変化する復帰操作の進捗状況をユーザに的確に提供することが可能となる結果として、ユーザの利便性向上に資する電子機器（画像形成装置１）を得ることができる。
【００５７】
また、表示制御部７７は、復帰操作の進捗情況（残工程の数の減少）に伴ってその進捗状況の表示領域サイズを狭小化して表示させてもよい。この構成により、ユーザは、タッチパネルユニット５３の表示内容を一瞥しただけで、その表示領域サイズの広狭から復帰操作の進捗状況の全容を即時かつ容易に認識することが可能となる結果として、ユーザの利便性向上に多大な貢献を果たす電子機器（画像形成装置１）を得ることができる。
【００５８】
また、表示制御部７７は、復帰操作の進捗状況８１の全容をタッチパネルユニット５３に一覧表示させてもよい。この構成により、ユーザは、タッチパネルユニット５３の表示内容を一瞥しただけで、復帰操作の進捗状況８１の全容を即時に認識可能となる結果として、ユーザの利便性を一層向上可能な電子機器（画像形成装置１）を得ることができる。
【００５９】
さらに、複数のエラーが同時期に生じているとき、進捗状況取得部７１は、複数の各エラー機能にそれぞれ対応する復帰操作の進捗状況を取得し、表示制御部７７は、複数の各エラー毎の復帰操作の進捗状況の総和を表示させてもよい。この構成により、複合エラーが生じた場合であっても、これらエラーの内容、並びに復帰操作の進捗状況（残工程の総和）の全容を認識可能となる結果として、ユーザの利便性を格段に向上可能な電子機器（画像形成装置１）を得ることができる。
【００６０】
［その他］
本発明は、上述した実施例に限られるものではなく、請求の範囲及び明細書全体から読み取れる発明の要旨、あるいは技術思想に反しない範囲で適宜変更可能であり、そのような変更を伴う電子機器もまた、本発明における技術的範囲の射程に包含される。
【００６１】
すなわち、本発明の実施例中、画像形成装置に係るエラーとして紙づまりを例示して説明したが、本発明はこの例に限定されることなく、例えば、トナーセンサ１７からの出力信号を用いることにより、トナーの補給時期が到来した等のエンジンエラーに適用することができる。
【００６２】
また、補修時期センサ１８からの出力信号を用いることにより、感光体ドラムの交換時期が到来した等のエンジンエラーに適用することができる。
【００６３】
更には、画像形成装置１に各種センサを設置して、スキャナの不具合等のスキャンエラー、データ通信機能の不具合等のデータ通信エラー、原稿自動搬送装置（ＡＤＦ）での紙づまり等のエラー、用紙カセットにおける用紙切れエラーなどの、種々のマシンエラーに関するエラー情報の表示用途に適用可能であることは言うまでもない。
【符号の説明】
【００６４】
１３  ジャムセンサ
１５  開閉状態センサ
１７  トナーセンサ
１８  補修時期センサ
１９  主制御部
５１  操作パネル
５３  タッチパネルユニット
６３  記憶装置
７１  進捗状況取得部
７５  エラー管理部
７７  表示制御部
８１  復帰操作の進捗状況
【図１】
2011033725.tif 000003
【図２】
2011033725.tif 000004
【図３】
2011033725.tif 000005
【図４】
2011033725.tif 000006
【図５】
2011033725.tif 000007